(57)【特許請求の範囲】
【請求項１】
回転自在に設けられる円筒形のドラムに対して刷版を供給して取り付け、当該ドラムで処理した後、刷版を取り外して排出する円筒外面走査装置であって、
前記ドラムの周面の第１の方向に設けられる第1の刷版通路と、前記第1の方向とは異なる前記ドラムの周面の第２の方向に設けられる第２の刷版通路と、前記ドラムにおける前記第１の刷版通路と前記第２の刷版通路のいずれかを選択的に規定する方向規定機構と、を備え、
前記方向規定機構が、前記ドラムの周りであって、前記第１の刷版通路を規定する第１の位置と、前記第２の刷版通路を規定する第２の位置との間で移動可能に設けられたローラと、該ローラを前記第１の位置と前記第２の位置との間で移動させるローラ移動機構を有し、
刷版の前記ドラムへの巻きつけ時には刷版の前端を前記ドラムに固定し、刷版の前記ドラムからの排出時には刷版の前端を開放する開閉機構と、当該開閉機構を駆動する駆動機構とをさらに備え、当該開閉機構の駆動機構の駆動源として、前記ローラ移動機構の駆動源を兼用することを特徴とする円筒外面走査装置。
【請求項２】
請求項１記載の円筒外面走査装置であって、前記第１の刷版通路には前記ドラムに刷版を供給する供給機構が、前記第２の刷版通路には前記ドラムから排出された刷版を収容する収容機構が、それぞれ設けられていることを特徴とする円筒外面走査装置。
【請求項３】
請求項１または請求項２に記載の円筒外面走査装置であって、前記第１の刷版通路と前記第２の刷版通路が、前記ドラムの外周において異なる接線の方向に位置することを特徴とする円筒外面走査装置。
【請求項４】
請求項１または請求項２に記載の円筒外面走査装置であって、前記第１の刷版通路は前記第１の位置における前記ドラムの接線方向に設けられ、前記第２の刷版通路は、前記第２の位置における前記ドラムの接線方向に設けられることを特徴とする円筒外面走査装置。
【請求項５】
回転自在に設けられる円筒形のドラムに対して刷版を供給して取り付け、当該ドラムで処理した後、刷版を取り外して排出する円筒外面走査装置であって、
前記ドラムの周面からみて第１の方向に設けられる第1の刷版通路と、
該第１の刷版通路に設けられ、前記ドラムに刷版を供給する供給機構と、
前記第1の方向とは異なる前記ドラムの周面からみて第２の方向に設けられる第２の刷版通路と、
該第２の刷版通路に設けられ、前記ドラムから排出された刷版を収容する収容機構と、
前記ドラムへの刷版の供給および排出時に前記ドラムに押圧するローラと、
前記ローラを、前記供給機構から刷版を前記ドラムに供給する際には、前記第１の刷版通路に対応した、前記ドラムの周囲の第１の位置に押圧させ、前記収容機構へ刷版を前記ドラムから排出する際には、前記第２の刷版通路に対応した、前記ドラムの周囲の前記第１の位置とは異なる第２の位置に押圧させるローラ移動機構と、
を備え、
刷版の前記ドラムへの巻きつけ時には刷版の前端を前記ドラムに固定し、刷版の前記ドラムからの排出時には刷版の前端を開放する開閉機構と、当該開閉機構を駆動する駆動機構とをさらに備え、当該開閉機構の駆動機構の駆動源として、前記ローラ移動機構の駆動源を兼用することを特徴とする円筒外面走査装置。
【発明の詳細な説明】
【技術分野】
【０００１】
本発明は、円筒外面走査装置に関し、より特定的には、その円筒外面に版材、いわゆる刷版が装着されるドラムと、当該ドラムの円周方向および軸方向に光ビームを走査して露光等の処理を行う処理部とを備える円筒外面走査装置に関する。
【背景技術】
【０００２】
従来、カラー印刷物は、露光工程や印刷工程等いくつかの工程を経て作製される。この露光工程に先立って、カラー印刷物の原稿画像は、複数色に、典型的には、Ｙ（黄）、Ｍ（紅）、Ｃ（藍）およびＫ（黒）の４色に色分解され、これによって、各色毎の画像データが生成される。このような画像データが、露光工程で用いられる円筒外面走査装置に与えられる。また、円筒外面走査装置が内部に備えるドラムの外面には、いわゆるＰＳ版（Ｐｒｅｓｅｎｓｉｔｉｚｅｄ Ｐｌａｔｅ）等のシート状の刷版が装着される。ここで、ＰＳ版とは、アルミニウム版、プラスチックシート、および紙等の版材表面に、感光層が予め塗布された刷版である。
【０００３】
この露光工程において、当該円筒外面走査装置は、与えられた画像データに基づいて、色分解された色毎の画像を刷版上に描くために、ドラムの外面に装着された刷版を露光ヘッドによって露光処理する。つまり、原稿画像が上記ＹＭＣＫに色分解された場合、４枚の刷版に、互いに異なる色毎の画像が当該円筒外面走査装置によって描かれる。
【０００４】
このような処理工程を効率よく処理するために、円筒外面走査装置には、そのドラムに対して刷版を供給および排出するための刷版供給排出装置が備えられる。そしてこの刷板供給排出装置では、ドラムに対して未処理の刷板を供給するための供給部と、ドラムで処理済みの刷板を排出するための排出部が設けられる。
【先行技術文献】
【特許文献】
【０００５】
【特許文献１】特開２００２−２５８４９１
【発明の概要】
【発明が解決しようとする課題】
【０００６】
このようにドラムに刷板を供給する場合には、供給部から供給されるドラム表面に導いて押し付け、また排出する場合には、ドラムから取り外す刷版を排出部に導く必要がある。しかし一般に、刷版を供給する供給部と、ドラムから取り外した刷版を送り出す排出部とは、それぞれ異なる位置に設けられるため、供給と排出のためには刷版を何らかの手段で導く必要がある。そのために特許文献１では、排出ガイドローラを設け、排出される刷版の端部を挟み込んで強制的に進行方向を変更させて排出経路に導き出している。
【０００７】
しかしながらこのような構成にすると、排出ガイドローラに刷版を挟み込む時や、強制的に刷版の進行方向を変更させる時に刷版に無理な力がかかって破損したり傷つけたりすることがあった。
そこで、本発明は、ドラムへの刷版の供給排出を円滑に行うことができ、刷版を傷めることがない円筒外面走査装置を提供することを目的としている。
【課題を解決するための手段】
【０００８】
かかる課題を解決する為に、請求項１に係わる発明は、回転自在に設けられる円筒形のドラムに対して刷版を供給して取り付け、当該ドラムで処理した後、刷版を取り外して排出する円筒外面走査装置であって、前記ドラムの周面の第１の方向に設けられる第1の刷版通路と、前記第1の方向とは異なる前記ドラムの周面の第２の方向に設けられる第２の刷版通路と、前記ドラムにおける前記第１の刷版通路と前記第２の刷版通路のいずれかを選択的に規定する方向規定機構と、を備え、前記方向規定機構が、前記ドラムの周りであって、前記第１の刷版通路を規定する第１の位置と、前記第２の刷版通路を規定する第２の位置との間で移動可能に設けられたローラと、該ローラを前記第１の位置と前記第２の位置との間で移動させるローラ移動機構を有し、刷版の前記ドラムへの巻きつけ時には刷版の前端を前記ドラムに固定し、刷版の前記ドラムからの排出時には刷版の前端を開放する開閉機構と、当該開閉機構を駆動する駆動機構とをさらに備え、当該開閉機構の駆動機構の駆動源として、前記ローラ移動機構の駆動源を兼用することを特徴としている。
【０００９】
請求項２に係わる発明は、請求項１記載の円筒外面走査装置であって、前記第１の刷版通路には前記ドラムに刷版を供給する供給機構が、前記第２の刷版通路には前記ドラムから排出された刷版を収容する収容機構が、それぞれ設けられていることを特徴としている。
【００１０】
請求項３に係わる発明は、請求項１または請求項２に記載の円筒外面走査装置であって、前記第１の刷版通路と前記第２の刷版通路が、前記ドラムの外周において異なる接線の方向に位置することを特徴としている。
【００１１】
請求項４に係わる発明は、請求項１または請求項２に記載の円筒外面走査装置であって、前記第１の刷版通路は前記第１の位置における前記ドラムの接線方向に設けられ、前記第２の刷版通路は、前記第２の位置における前記ドラムの接線方向に設けられることを特徴としている。
【００１２】
請求項８に係わる発明は、回転自在に設けられる円筒形のドラムに対して刷版を供給して取り付け、当該ドラムで処理した後、刷版を取り外して排出する円筒外面走査装置であって、前記ドラムの周面からみて第１の方向に設けられる第1の刷版通路と、該第１の刷版通路に設けられ、前記ドラムに刷版を供給する供給機構と、前記第1の方向とは異なる前記ドラムの周面からみて第２の方向に設けられる第２の刷版通路と、該第２の刷版通路に設けられ、前記ドラムから排出された刷版を収容する収容機構と、前記ドラムへの刷版の供給および排出時に前記ドラムに押圧するローラと、前記ローラを、前記供給機構から刷版を前記ドラムに供給する際には、前記第１の刷版通路に対応した、前記ドラムの周囲の第１の位置に押圧させ、前記収容機構へ刷版をドラムから排出する際には、前記第２の刷版通路に対応した、前記ドラムの周囲の前記第１の位置とは異なる第２の位置に押圧させるローラ移動機構と、を備え、前記刷版の前記ドラムへの巻きつけ時には刷版の前端を前記ドラムに固定し、刷版の前記ドラムからの排出時には刷版の前端を開放する開閉機構と、当該開閉機構を駆動する駆動機構とをさらに備え、当該開閉機構の駆動機構の駆動源として、前記ローラ移動機構の駆動源を兼用することを特徴としている。
【発明の効果】
【００１３】
刷版を円滑にドラムに装着したり収容機構へ収容することができる。そして、刷版を案内するためのガイド部材で刷版に無理な力を加えて刷版を傷めたりすることがなく、また専用のガイド部材を設ける必要もない。
【００１４】
特に請求項１および請求項５に記載の発明によれば、刷版の前端の固定と開放を行う開閉機構の駆動源として、ローラの移動機構の駆動源を兼用するので、駆動源の数が少なくて済み、低コストで実現できる。
【図面の簡単な説明】
【００１５】
【図１】本発明の一実施形態である画像記録装置１の構造を説明する図である。
【図２】図１に示した画像記録装置１のローディング動作を示す図である。
【図３】図１に示した画像記録装置１のローディング動作を示す図である。
【図４】図１に示した画像記録装置１のローディング動作を示す図である。
【図５】図１に示した画像記録装置１のローディング動作を示す図である。
【図６】図１に示した画像記録装置１のローディング動作を示す図である。
【図７】図１に示した画像記録装置１のアンローディング動作を示す図である。
【図８】図１に示した画像記録装置１のアンローディング動作を示す図である。
【図９】図１に示した画像記録装置１のアンローディング動作を示す図である。
【図１０】図１に示した画像記録装置１のアンローディング動作を示す図である。
【発明を実施するための形態】
【００１６】
図１は、本発明の一の実施の形態に係る円筒外面走査装置である画像記録装置１を示す側面図である。画像記録装置１は、空間変調光生成装置である光学ヘッド２および記録材料である刷版３を外側面に保持する円筒形状の記録ドラム（以下単にドラムと称する）４を有する。光学ヘッド２は空間変調された光を刷版３に対して照射する露光処理を行う。ドラム４は円筒の回転軸５を中心にして、図示しない装置フレームに回転自在に支持され、モータ６により回転駆動され、これにより光学ヘッド２が刷版３に対して主走査方向に一定の速度で相対的に移動する。また光学ヘッド２は図示しないモータ、ボールネジ、リニアガイドおよびエンコーダ等からなる副走査機構７によりドラム４の回転軸５と平行な方向（図１の紙面に垂直な方向）すなわち副走査方向に移動可能とされ、この副走査機構７により光学ヘッド２が刷版３に対して副走査方向に一定の速度で相対的に移動する。
【００１７】
光学ヘッド２、モータ６および副走査機構７は図示しない全体制御部に接続され、全体制御部がこれらを駆動制御することにより、光学ヘッド２がドラム４の外周に保持された刷版３を主走査、副走査の両方向に走査可能となっており、このように光学ヘッド２が走査しつつ露光処理することにより、刷版３への画像の記録が行われる。
【００１８】
図１のドラム４の左上方には、未露光の刷版３を保持してドラム４に対して供給する供給機構８が設けられ、またその左下側には、ドラム４にて露光処理後にドラム４から排出されてくる刷版３を収容する収容機構９が設けられる。またドラム４には、供給された刷版３の前端を挟み止めて固定する前クランプ１０が取り付けられている。前クランプ１０はドラム４の軸方向に長く、刷版３を固定するために図示しないバネにより閉じる方向に付勢した状態で開閉自在に取り付けられる。また刷版３の後端を挟み止めて固定する後クランプ１１がドラム４に対して着脱自在に設けられている。後クランプ１１はドラム４の幅方向に適宜の間隔で数箇所設けられ、図示しないクランプ着脱機構によりドラム４に対して着脱自在に支持されている。
【００１９】
図１のドラム４の右上方には、前クランプ１０の開閉を操作するとともに、後述するスキージローラ１３をドラム４に対して昇降させ、またその周方向に沿って位置変更させることが可能なローラ移動機構１２が設けられている。なお、図１において、ドラム４の回転軸５、副走査機構７、供給機構８、収容機構９、後クランプ１１、ローラ移動機構１２は、図示しない装置フレームに直接または間接に取り付け支持されている。
【００２０】
図２は供給機構８、収容機構９、ローラ移動機構１２の詳細を示す側面図である。供給機構８は未露光の刷版３が収納されるトレー８０と、刷版３を供給する際に送り出すローディング用搬送ローラ８１とを備える。また収容機構９は、露光済みの刷版３が収納されるトレー９０と、ドラム４から排出される刷版３を収容する際に引き込むアンローディング用搬送ローラ９１とを備える。供給機構８および収容機構９は、それぞれのローディング用搬送ローラ８１、アンローディング用搬送ローラ９１の上面によって規定される刷版３を搬送するためのそれぞれの搬送経路が、ドラム４の接線にほぼ一致するように設けられ、かつアンローディング用搬送ローラ９１の搬送経路がドラム４に接する位置は、ローディング用搬送ローラ８１の搬送経路がドラム４に接する位置よりも若干だけ収容機構９に近い側、すなわち図２中で左側に寄った位置となるように設けられている。また、ドラム４の周面に近接して、未露光の刷版３を装着し保持させる際に刷版３をドラム４に押し付けるスキージローラ１３が設けられる。スキージローラ１３は、前述のローラ移動機構１２により保持されている。
【００２１】
ローラ移動機構１２の詳細につき図２を参照して説明する。ローラ移動機構１２は、図示しない装置フレームに固定して設けられた第1軸１４および第２軸１５と、これらに結合された次の部材から主として構成されている。
Ｔ字型アーム１６：Ｔ字型の横辺の一端において第1軸１４に回動自在に支持されている。
【００２２】
鉤付アーム１７：一端に鉤部１７ａが形成され、他端に設けたピン１８にて後述するローラアーム１９に回動自在に結合されている。中央部には矩形の窓１７ｂが形成され、Ｔ字型アーム１６の裏面側に形成した突起１６ａがその窓１７ｂにはめ込まれてその中で動くことができる。
【００２３】
ローラアーム１９：下端にスキージローラ１３の軸１３ａがはめ込まれる長孔１９ａが形成され、長孔１９ａとピン１８との間においてピン２０にてＴ字型アーム１６の上辺他端と回動自在に結合されている。ピン２０は図示しないローラ昇降駆動源に結合されて上下動される。
【００２４】
クランプ駆動板２１：第１軸１４に回動自在に支持される。第１軸１４から図中左上方向に離れた一辺側には、前クランプ１０の開閉を操作するためにその前クランプ１０の長さと対応した長さを有する操作突片２２がドラム４方向に取り付けられ、図中右上方向に離れた一辺には、Ｕ字形の切込２１ａが設けられる。切込２１ａの横の表面には突起２１ｂが突設される。この突起２１ｂはクランプ駆動板２１が図中時計方向に回動する際に鉤付アーム１７の鉤部１７ａに係合する。
【００２５】
駆動円盤２３：第２軸１５の周りで回動自在に設けられ、図示しない駆動モータによって回転駆動される。表面にはクランプ駆動板２１の切込２１ａに係合する突起２３ａが形成されている。
【００２６】
まず画像記録装置１の概略の動作を説明する。画像記録装置１に使用する未露光の刷版３は図示しないオートローダに多数保管されており、画像記録装置１の動作に伴って必要に応じて供給機構８に1枚ずつ供給される。画像の記録を行う際には、供給機構８から１枚の刷版３をドラム４に巻きつけて回転させ、副走査機構７によって光学ヘッド２をドラム４の回転軸５方向に移動させつつ露光処理する。この際、全体制御部はこれら各部の制御を行うとともに、外部から入力された記録すべき画像データの信号を光学ヘッド２に供給する。画像記録が終了すると、刷版３はドラム４から外して収容機構９へ送られる。
【００２７】
次に、刷版３のドラム４への供給と排出の動作を詳細に説明する。画像記録動作の開始前は、図１に示すように刷版３が供給機構８内に収納されている。このとき、スキージローラ１３、後クランプ１１および操作突片２２はいずれも上昇しており、前クランプ１０は前記バネにより閉じられている。画像記録動作が開始されると、まず、刷版３のドラム４への供給および装着（ローディング）を行う。図２に示すように、供給機構８のローディング用搬送ローラ８１の上面によって規定される供給経路の延長線がドラム４と接する位置に、前クランプ１０が位置するようにドラム４が回転駆動される。続いて、クランプ駆動板２１の操作突片２２がドラム４方向に近接する方向に駆動されて、ドラム４に取り付けられた前クランプ１０の一端部を押し下げて、前クランプ１０を閉じている前記バネの付勢力に抗して前クランプ１０を開く。この動作は、駆動円盤２３が図中反時計方向に前記駆動モータにより回転駆動され、駆動円盤２３に取り付けられた突起２３ａが、クランプ駆動板２１のＵ字形の切込２１ａ内で動き、クランプ駆動板２１を第１軸１４の周りで半時計方向に回転させることによる。前クランプ１０が開くと続いて供給機構８のローディング用搬送ローラ８１が回転駆動され、未露光の刷版３をドラム４へ向けて送り出す。送り出された刷版３は、図２に示すように、その前端が開いた前クランプ１０に差し込まれる。前クランプ１０が、ローディング用搬送ローラ８１の搬送経路の延長線がドラム４に接する位置にあるため、刷版３は円滑に前クランプ１０に差し込まれる。
【００２８】
次に図３に示すように、クランプ駆動板２１の操作突片２２がドラム４から離れる方向に駆動されて、前クランプ１０から離れて押し下げを解除し、前記バネの付勢力により前クランプ１０を閉じ、刷版３の前端を固定する。この動作は、駆動円盤２３が図中時計方向に前記駆動モータにより回転駆動され、駆動円盤２３に取り付けられた突起２３ａが、クランプ駆動板２１のＵ字形の切込２１ａ内で動き、クランプ駆動板２１を第１軸１４の周りで時計方向に回転させることによる。
【００２９】
次に図４に示すように、ローラアーム１９が下降し、スキージローラ１３が刷版３を上方からドラム４に押し付ける。スキージローラ１３の軸１３ａは長孔１９ａ内でフリーになり、スキージローラ１３はその自重で刷版３をドラム４に押し付ける。この動作は、ローラアーム１９に取り付けられたピン２０が図示しないローラ昇降駆動源により下降されることによる。なお、このスキージローラ１３のドラム４への押し付けは、ローディング用搬送ローラ８１の搬送経路の延長線がドラム４に接する位置で行うのがよい。そのため、前クランプ１０がスキージローラ１３にぶつからないように、スキージローラ１３のドラム４への下降前にドラム４を若干だけ図中時計方向へ回転駆動させておく。そして、このようにスキージローラ１３が刷版３をドラム４に押し付けた状態にしておいて、ドラム４は図中時計方向に回転駆動され、刷版３を巻きつけていく。ローディング用搬送ローラ８１の搬送経路の延長線がドラム４に接する位置で、スキージローラ１３が刷版３をドラム４へ押し付けているので、刷版３のドラム４への巻きつけが円滑に行われる。
【００３０】
刷版３を巻きつけ終わり、図５に示すように刷版３の終端がスキージローラ１３の近傍にある後クランプ１１の着脱位置に来たところでドラム４の回転は停止される。そして、図６に示すように後クランプ１１が図示しないクランプ着脱機構によりドラム４に装着され、刷版３の後端を押さえてドラム４に固定する。これで刷版３のドラム４への装着が終わる。刷版３がドラム４に装着されると、図６の状態からローラアーム１９に取り付けられたピン２０が図示しないローラ昇降駆動源により持ち上げられ、スキージローラ１３が上昇してドラム４から離される。この状態で、ドラム４が高速で回転駆動され、光学ヘッド２による刷版３への露光処理が開始され、すなわち画像記録処理が行われる。
【００３１】
画像記録が終了すると、刷版３のドラム４からの取り外しと排出（アンローディング）を行う。ドラム４が後クランプ１１が着脱位置に来るように回転駆動された後、スキージローラ１３が下降されて図６に示す状態、すなわち露光処理の開始時と同じ状態とされる。次に後クランプ１１が取り外され、図５に示す状態とされる。そしてここから、スキージローラ１３がドラム４の外周に沿って図中反時計方向に移動するよう駆動され、図７に示す状態とされる。この動作は、駆動円盤２３が図中時計方向に前記駆動モータにより回転駆動され、駆動円盤２３に取り付けられた突起２３ａが、クランプ駆動板２１を第１軸１４の周りで反時計方向に回転させ、さらに、クランプ駆動板２１に取り付けられた突起２１ｂが鉤付アーム１７の鉤部１７ａに係合して鉤付アーム１７を図中右下方向に引き、鉤付アーム１７に結合されたローラアーム１９がピン２０を中心に時計方向に回転することによる。そしてこれにより、スキージローラ１３は図５に示す状態よりも図中左側の位置、すなわち、アンローディング用搬送ローラ９１の搬送経路の延長線がドラム４に接する位置にあり、刷版３のさらに終端近くを押し付けた状態となる。
【００３２】
続いて、スキージローラ１３が図７の位置にある状態で、ドラム４は図中反時計方向に回転駆動される。これにより、露光済みの刷版３は自身の弾性によりスキージローラ１３の位置でドラム４から離れていき、収容機構９のトレー９０に入り、アンローディング用搬送ローラ９１にも引き込まれて、図８に示す状態まで収容機構９に収容されていく。アンローディング用搬送ローラ９１の搬送経路の延長線がドラム４に接する位置にスキージローラ１３が置かれているので、そこでドラム４から離れた刷版３は収容機構９のトレー９０への収納が円滑に行われる。図８に示す状態、すなわち刷版３のほとんどはドラム４から離れ、前クランプ１０がその開閉を行う位置までくると、ドラム４の回転は停止される。
【００３３】
続いて、図８の状態から、スキージローラ１３が上昇して刷版３およびドラム４から離れると同時に、前クランプ１０が開かれ、図９の状態となる。この動作は、ローラアーム１９に取り付けられたピン２０が図示しないローラ昇降駆動源により上昇されるとともに、駆動円盤２３が図中反時計方向に前記駆動モータにより回転駆動され、駆動円盤２３に取り付けられた突起２３ａが、クランプ駆動板２１を第１軸１４の周りで反時計方向に回転させ、クランプ駆動板２１の操作突片２２が前クランプ１０の一端を押し下げて前クランプ１０を開き、さらに、クランプ駆動板２１に取り付けられた突起２１ｂが鉤付アーム１７の鉤部１７ａとの係合を解除する。ピン２０の上昇に伴い、ローラアーム１９は自重によって反時計方向に回転し、鉤付アーム１７が図中左上方向に戻る。これによって刷版３の前端は前クランプ１０からフリーになり、刷版３は収容機構９のアンローディング用搬送ローラ９１に引き込まれて、トレー９０に収容される。刷版３がトレー９０に収容されると、駆動円盤２３が図中時計方向に前記駆動モータにより回転駆動され、クランプ駆動板２１を第１軸１４の周りで時計方向に回転させ、クランプ駆動板２１の操作突片２２が前クランプ１０の一端の押し下げを解除して前クランプ１０を閉じて図１０の状態となり、この１枚の刷版３の露光処理を終了する。
【００３４】
なお、この実施形態では、供給機構８と収容機構を９、それぞれのローディング用搬送ローラ８１、アンローディング用搬送ローラ９１の搬送経路が、ドラム４の接線にほぼ一致するように設け、かつそれぞれローディング時とアンローディング時にはそれぞれの接線のドラム４との接触位置にスキージローラ１３を位置させていた。しかしこれに限らず、例えば、露光済みの刷版３をドラム４から取り外す場合において刷版３がドラム４への巻きぐせや自重などのために若干下に垂れてくる場合には、収容機構９をそれに対応してドラム４の接線よりも若干低い位置に設けることも考えられる。このように供給機構８や収容機構９の位置を変更したとしても、ローディング時とアンローディング時にはスキージローラ１３をローラ移動機構１２によりそれぞれに最適な位置に動かすことで、刷版を円滑にドラム４に装着したり収容機構９へ収容することができる。そして、刷版３を案内するためのガイド部材で刷版３に無理な力を加えて刷版３を傷めたりすることがなく、また専用のガイド部材を設ける必要もない。
【符号の説明】
【００３５】
１  画像記録装置
２  光学ヘッド
３  刷版
４  記録ドラム
７  副走査機構
８  供給機構
９  収容機構
１０  前クランプ
１１  後クランプ
１２  ローラ移動機構
１３  スキージローラ
【図１】
0005578825.tif 000002
【図２】
0005578825.tif 000003
【図３】
0005578825.tif 000004
【図４】
0005578825.tif 000005
【図５】
0005578825.tif 000006
【図６】
0005578825.tif 000007
【図７】
0005578825.tif 000008
【図８】
0005578825.tif 000009
【図９】
0005578825.tif 000010
【図１０】
0005578825.tif 000011